(57)【特許請求の範囲】
【請求項１】
ケーシング(1) 内に複数の瀘過用孔(2a)を有する濾過部材(2)を備え、ケーシング(1) 内に流体を導入して濾過部材(2) の瀘過用孔(2a)を通過させることにより流体を濾過するようにした濾過機において、
ケーシング(1) 内における濾過部材(2) の上方側に、空間部(41)が備えられたものであって、
濾過部材(2) が、筒状のものから構成され、周面に複数の瀘過用孔(2a)を備え、上端に、径外側に張り出した鍔部(21)を備え、鍔部(21)が、ケーシング(1) に支持されることにより、濾過部材(2) がケーシング(1) 内に配位されるとともに、ケーシング(1) 内が、濾過部材(2) によって、ケーシング(1)外からの流体を受容する径外側の領域(1a)と、径外側の領域(1a)から濾過部材(2) の瀘過用孔(2a)を通って瀘過した流体を受容する径内側の領域(1b)とに区画形成され、
この鍔部(21)に、ケーシング(1) 内に導入した流体から生じる泡を通す泡通過用孔(21a) が備えられたものであることを特徴とする濾過機。
【請求項２】
ケーシング(1) における空間部(41)の内面が、合成ゴム等の非金属製物質で覆われた被覆層(41a) を備えたものであることを特徴とする請求項１記載の濾過機。
【発明の詳細な説明】
【０００１】
【発明の属する技術分野】
本願発明は、流体を瀘過する瀘過機の改良に関するものである。
【０００２】
【従来の技術】
従来から、火力発電冷却用海水、原子力発電冷却用海水、その他の各種の水等を瀘過する瀘過機は知られている。この従来の瀘過機として、例えば図１０に示すようなものが提案されている。この瀘過機は、流体導入口ａ１及び流体送出口ａ２を有する断面円形状のケーシングａと、筒状の濾過部材ｂとを備え、又、濾過部材ｂの周面に、複数の瀘過用孔ｂ１…ｂ１を備えるとともに、濾過部材ｂの上端に径外側に張り出した鍔部ｂ２を備え、濾過部材ｂの鍔部ｂ２をケーシングａ内の上端に取り付けることにより、上端から下端に至るケーシングａ内を、径外側の渦流領域ｄと、径内側の瀘過領域ｅとに区画形成したものとし、流体導入口ａ１からケーシングａ内に流体を導入することにより、流体を、ケーシングａ内の渦流領域ｄで渦流に流しながら、渦流領域ｄから濾過部材ｂの瀘過用孔ｂ１…ｂ１を通過させて瀘過して瀘過領域ｅに入れ、その瀘過した流体を流体送出口ａ２からケーシングａ外に送り出すようにしたものである。
しかしながら、例えば原子力発電冷却用海水を得るために、流体として海水をケーシングａ内に導入し、ケーシングａの上壁に設けたエア抜きａ３を閉めた状態で連続瀘過運転すると、図９に示すようにケーシングａ内で海水に泡Ｋ１…Ｋ１が連続的に発生し、その泡Ｋ１…Ｋ１が濾過部材ｂの鍔部ｂ２やケーシングａの内上壁の下方側に溜まって泡Ｋ１…Ｋ１が弾ける。このように海水の泡Ｋ１…Ｋ１が弾けると、濾過部材ｂの鍔部ｂ２等に腐食が起こる。濾過部材ｂが腐食すると瀘過機能を果たせなくなり、短期間での濾過部材ｂの交換が必要となる。又、ケーシングａの内上壁も同様に腐食されてしまう。この海水の泡Ｋ１…Ｋ１の弾けによる濾過部材ｂやケーシングａの内上壁の腐食は、濾過部材ｂをタールエポキシ樹脂で覆っても防止し難く、あるいは濾過部材ｂをステンレス鋼で製作した場合でも孔食腐食を引き起こし、腐食を防止し難いという課題がある。又、この場合に、濾過部材ｂの鍔部ｂ２の径を小さくし、鍔部ｂ２をケーシングａ内に突出しないようにすれば、鍔部ｂ２の下方側に泡Ｋ１…Ｋ１が溜まり難いものにできるが、その場合は、ケーシングａの内側壁と濾過部材ｂの周面との間に形成される渦流領域ｄが狭くなってしまってケーシングａ内で流体を渦流にし難くなってしまう。
【０００３】
【発明が解決しようとする課題】
本願発明は、以上の実情に鑑み提案されたもので、流体の泡が生じて泡が弾けるような場合においても、濾過部材が腐食するおそれの少ない瀘過機の提供を第１の目的とする。
本願発明は、流体の泡が生じて泡が弾けるような場合においても、濾過部材及びケーシングの内面が腐食するおそれの少ない瀘過機の提供を第２の目的とする。
【０００４】
【課題を解決するための手段】
ケーシング１内に複数の瀘過用孔２ａを有する濾過部材２を備え、ケーシング１内に流体を導入して濾過部材２の瀘過用孔２ａを通過させることにより流体を濾過するようにした濾過機において本願発明は、次の特徴を有するものを提供することにより上記課題を解決する。
本願第１の発明は、ケーシング１内における濾過部材２の上方側に、空間部４１が備えられたものであって、濾過部材２は、筒状のものから構成され、周面に複数の瀘過用孔２ａを備え、上端に、径外側に張り出した鍔部２１を備え、鍔部２１が、ケーシング１に支持されることにより、濾過部材２がケーシング１内に配位されるとともに、ケーシング１内が、濾過部材２によってケーシング１外からの流体を受容する径外側の領域１ａと、径外側の領域１ａから濾過部材２の瀘過用孔２ａを通って瀘過した流体を受容する径内側の領域１ｂとに区画形成される。そしてこの鍔部２１には、ケーシング１内に導入した流体から生じる泡を通す泡通過用孔２１ａが備えられたものである。
【０００５】
本願第２の発明は、本願第１の発明に係るケーシング１における空間部４１の内面が、合成ゴム等の非金属製物質で覆われた被覆層４１ａを備えたものである。
【０００６】
本願第１の発明においては、空間部４１によって、ケーシング１内における流体水位を濾過部材２よりも上側に配位した状態にして流体を濾過部材２で濾過できる。これにより、例えば流体として海水をケーシング１内に導入し、海水から泡が生じた場合でも、泡を濾過部材２よりも上側の空間部４１に溜めることができ、空間部４１で泡を弾けさせることができる。従って、空間部４１を、空気を溜める空気室として機能させることができ、濾過部材２より上方側に海水の泡の弾けた空気を溜めることによって海水の泡の弾けた空気が濾過部材２に触れることがなく、濾過部材２が海水から生じた泡の弾けに伴う影響を受けることのないものにでき、濾過部材２の腐食を防止できる。
【０００９】
そして、濾過部材２を、筒状のものから構成し、上端に、径外側に張り出した鍔部２１を備え、この鍔部２１に、ケーシング１内に導入した流体から生じる泡を通す泡通過用孔２１ａを備えたものとする。筒状の濾過部材２の鍔部２１の外周をケーシング１に支持して濾過部材２をケーシング内に配位させ、濾過部材２によって、ケーシング１内を、径外側の領域１ａと、径内側の領域１ｂとに区画形成すると、例えば鍔部２１の下方側の径外側の領域１ａで発生した流体の泡が空間部４１に出ようとしても鍔部２１で止まってしまい、鍔部２１の下方側に溜まって弾けるおそれがある。そこで、この本願第３の発明のように鍔部２１に泡通過用孔２１ａを備えたものとしておくことにより、泡を、泡通過用孔２１ａを通して空間部４１に出すことができ、鍔部２１の下方側に流体から生じた泡が溜まるおそれのないものにできる。これにより、鍔部２１を確実に流体の泡の弾けに伴う腐食から防止できる。
【０００７】
本願第２の発明においては、ケーシング１における空間部４１の内面に、合成ゴム等の非金属製物質で覆われた被覆層４１ａを備えたものとする。こうすることにより、空間部４１に溜まった泡が空間部４１で弾けても、被覆層４１ａによってケーシング１における空間部４１の内面を保護でき、泡の弾けに伴って腐食されるようなことを防止できる。
【０００８】
【発明の実施の形態】
以下、図を基に本願発明の一実施形態を具体的に説明する。
図１は、本願発明の一実施形態の瀘過機の半断面にした正面図、図２は、図１のII−II線断面図、図３は、要部拡大断面図である。
【０００９】
本願発明の瀘過機は、ケーシング１と、瀘過部材２とを備えている。ケーシング１は、ケーシング本体３と、蓋部４とを備えている。ケーシング本体３は、断面円形状の有底筒状のものからなり、脚部７…７に下方側から支持されている。ケーシング本体３の周壁における上部側に、流体導入管３１が備えられている。この流体導入管３１は、ケーシング１内に海水等の流体を導入するとともに、後述するケーシング１内の渦流領域１ａに流体の渦流を起こさせる渦流発生手段をなすもので、一端側に流体導入口３１ａを備え、他端側に配管接続口３１ｂを備えている。流体導入口３１ａは、ケーシング本体３の周壁に接続され、配管接続口３１ｂは、流体導入管３１の軸方向をケーシング本体３の周壁の略接線方向に沿ってケーシング１の外周側に伸ばされるようにして配位されている。そして、この配管接続口３１ｂに配管が接続され、配管から送られてくる流体を配管接続口３１ｂから受容して流体導入口３１ａからケーシング本体３内に、ケーシング本体３の内周壁に沿わせて渦流領域１ａに渦流を起こさせながら導入できるようになされている。
【００１０】
また、ケーシング本体３の周壁における下部側には、ブロー管３２が備えられている。このブロー管３２は、瀘過したゴミや異物等の排斥物をケーシング１外に出すためのもので、一端側に排斥物受容口３２ａを備え、他端側に配管接続口３２ｂを備えている。排斥物受容口３２ａは、ケーシング本体３の周壁に接続され、配管接続口３２ｂは、ブロー管３２の軸方向をケーシング本体３の周壁の略接線方向に沿ってケーシング１の外周側に伸ばされるようにして配位されている。そして、この配管接続口３１ｂに配管が接続され、排斥物受容口３２ａから受容した排斥物を配管接続口３１ｂから配管に流してケーシング本体３外に出せるようにしている。
【００１１】
又、ケーシング本体３の底壁には、瀘過流体送出用管３３が備えられている。この瀘過流体送出用管３３は、瀘過した流体をケーシング１外に送り出すためのもので、一端側に瀘過流体送出口３３ａを備え、他端側に配管接続口３３ｂを備えている。そして、この瀘過流体送出用管３３は、ケーシング本体３の底壁を貫くようにして配位されることにより、瀘過流体送出口３３ａがケーシング本体３内に配位され、配管接続口３３ｂがケーシング本体３外に配位されており、ケーシング本体３内で瀘過された後の流体を瀘過流体送出口３３ａで受容し、配管接続口３３ｂから、配管接続口３３ｂに接続した配管に送るようになされている。尚、この過流体送出用管３３及び上記の流体導入管３１には、圧力計取付用管３３ｃ、３１ｃが備えられ、この圧力計取付用管３３ｃ、３１ｃに玉形弁等を介して圧力計を取り付けることによって、瀘過流体送出用管３３、流体導入管３１各々を流れる流体圧を計測することが可能である。
【００１２】
ケーシング本体３の上端における外周には、蓋を取り付けるための蓋取付け部３５が備えられている。又、この蓋取付け部３５の上面における内周側には、瀘過部材用支持部３５ｂが備えられている。この瀘過部材用支持部３５ｂは、瀘過部材２を支持するためのもので、後述する瀘過部材２の鍔部２１の厚さと同程度の深さの窪みで形成されている。
【００１３】
また、ケーシング本体３の内部における上端側には、ケーシング本体３の周方向に沿って配位された複数の渦流抑え部材３４、３４が備えられている。これらの渦流抑え部材３４、３４は、ケーシング１内で発生する流体の渦流を抑えるためのもので、各々は、板状体から構成され、基端側がケーシング本体３の内周壁に取り付けられ、先端側がケーシング本体３の内周壁から径内側に突出されている。
【００１４】
蓋部４は、下面側に、下方側から上方側に膨らむように形成された空間部４１が備えられている。この空間部４１は、ケーシング内における濾過部材２の上部側に空間を形成するためのもので、内周径がケーシング本体３の内周径と略同径に、径内側に行くに従って漸次上方側に深くなるように形成されている。又、この空間部４１の内面は、合成ゴムで覆われた被覆層４１ａが備えられている。この実施形態における被覆層４１ａは、空間部４１の内面にゴムライニングを施したゴムライニング層４１ａから構成されている。尚、この被覆層４１ａは、合成ゴムで覆うものに限らず、海水の泡が弾けた場合に腐食し難いものであれば良く、例えば合成樹脂等の非金属製のものを使用できる。
【００１５】
また、蓋部４には、エア抜き４２が備えられている。このエア抜き４２は、ケーシング１内のエアを抜くためのもので、空間部４１から外部に連通するように伸ばされたエア抜き用管４２から構成されており、このエア抜き用管４２に、例えば玉形弁４２ａが取り付けられて使用される。そして、この蓋部４は、空間部４１の外周側に設けられた取付部４３がケーシング本体３の蓋取付け部３５にボルト５及びナット６を介して取付けられることにより、蓋部４がケーシング本体３の上方側に蓋をする。又、蓋部４がケーシング本体３に蓋をした状態で、空間部４１の内面がケーシング１の上内壁を構成する。
【００１６】
瀘過部材２は、流体を瀘過するためのもので、筒状の瀘過本体２０と、瀘過本体２０の上端に設けられた鍔部２１とを備えている。瀘過本体２０は、周面に複数の瀘過用孔２ａ…２ａが備えられている。又、この瀘過本体２０は、下端側内径がケーシング１の瀘過流体送出用管３３の外径と略同径とされ、下端から上方側に行くに従い漸次径が大きくなるテーパー状に形成されている。また、瀘過部材２の上端側の径は、ケーシング本体３の渦流抑え用部材３４…３４の先端を結ぶ内周より小さく、渦流抑え用部材３４…３４の内側に入り込むようになされている。尚、この実施形態では、瀘過本体２０の内側に、補強部材８…８が備えられ、この補強部材８…８によって瀘過本体２０を補強して変形し難いようになされている。
【００１７】
鍔部２１は、瀘過部材２をケーシング１に支持するもので、瀘過本体２０の上端から径外方向に延設されることにより形成されている。鍔部２１の外径は、ケーシング１の内周径より大きく、ケーシング本体３における蓋取付け部３５の瀘過部材用支持部３５ｂに載置できるようになされている。又、この鍔部２１には、複数の泡通過用孔２１ａ…２１ａが穿設されている。この泡通過用孔２１ａ…２１ａは、流体に発生した流体の泡を通過させるためのもので、鍔部２１の下方側に流体の泡が溜まらないようにするものである。
【００１８】
このように形成された瀘過部材２は、ケーシング１内において、瀘過本体２０の下端側から瀘過流体送出用管３３を所定長さだけ嵌挿するようにして瀘過流体送出用管３３に接続されているとともに、鍔部２１の外周側がケーシング本体３の瀘過部材用支持部３５ｂに載置されてケーシング本体３と蓋部４との取付けに際し、ケーシング本体３と蓋部４とに挾持されるようにして支持されている。又、このようにして瀘過部材２がケーシング１内に配位されることにより、ケーシング１内が、渦流発生手段３１を有する径外側の渦流領域１ａと、径内側の瀘過領域１ｂとに区画形成されるとともに、瀘過領域１ｂ及び鍔部２１の上方側に空間部４１が配位されている。又、瀘過流体送出用管３３の瀘過流体送出口３３ａは、渦流領域１ａ内に配位され、渦流領域１ａの流体を受容できるようになっている。
【００１９】
次に、この瀘過機の機能について説明する。
流体導入管３１、ブロー管３２及び瀘過流体送出用管３３各々に配管を接続した後、エア抜き用管４２の玉形弁４２ａを開いた状態にし、例えば流体として海水Ｋを流体導入管３１からケーシング１内に導入する。その際、海水Ｋは、ケーシング１の接線方向からケーシング１内の内壁面に沿って渦流領域１ａに流れ込み、渦流領域１ａで渦流を形成する。渦流領域１ａに入った海水Ｋは、渦流を形成しながら瀘過部材２の瀘過用孔２ａ…２ａを通過して瀘過領域１ｂに入り込む。又、海水Ｋに含まれているゴミ、或いは砂、貝等の異物は、瀘過用孔２ａ…２ａを通過できずに渦流領域１ａに留まる。又、その際、瀘過用孔２ａ…２ａを穿設した瀘過部材２の瀘過本体２０がテーパー状になっており、瀘過用孔２ａ…２ａが水平方向に対して傾斜した状態になっているため、瀘過用孔２ａ…２ａの径より小さいゴミや異物の通過をも防止できる。
【００２０】
瀘過領域１ｂに入った瀘過後の海水Ｋは、瀘過流体送出用管３３からケーシング１外に出ていくが、渦流領域１ａ及び瀘過領域１ｂでの海水Ｋの水位は徐々に高くなり、図３に示すように海水Ｋが瀘過部材２の鍔部２１を越えて空間部４１までくる。この状態で、エア抜き用管４２の玉形弁４２ａを閉じる。これにより、海水Ｋは、瀘過部材２の鍔部２１を越えて空間部４１まできた状態を維持しながら連続的に渦流領域１ａで渦流を形成しながら渦流領域１ａから瀘過用孔２ａ…２ａを通って瀘過領域１ｂに入り、瀘過領域１ｂから瀘過流体送出用管３３に入ってケーシング１外に送り出される。又、その際、ケーシング１内の海水Ｋは、渦流領域１ａで常時渦流を形成している等のため、泡Ｋ１…Ｋ１が発生し、その泡Ｋ１…Ｋ１が瀘過用孔２ａ…２ａや泡通過用孔２１ａ…２１ａを通り抜けて水面まで上昇し、空間部４１に順次溜まって弾ける。この海水Ｋの泡Ｋ１…Ｋ１が繰り返し弾けると、金属の腐食を引き起こす原因になるが、本実施形態では、濾過部材２より上方側に形成した空間部４１を、空気を溜める空気室として機能させることができ、濾過部材２より上方側に海水の泡の弾けた空気を溜めることによって、海水の泡の弾けた空気が濾過部材２に触れることがなく、濾過部材２が海水から生じた泡の弾けに伴う影響を受けることのないものにでき、濾過部材２の腐食を防止できる。一方、空間部４１の内面は、海水Ｋの泡Ｋ１…Ｋ１の弾けによる影響を受けるが、その内面にゴムライニング層４１ａを設けているため、空間部４１の内面の腐食を防止できる。従って、特に、濾過部材２によって、ケーシング１内を渦流領域１ａと瀘過領域１ｂとに区画形成し、流体を渦流領域１ａで渦流を形成しながら瀘過用孔２ａ…２ａを通して瀘過する本実施形態のように、流体から泡が発生し易いような場合には、濾過部材２の腐食防止に有効なものにできる。又、濾過部材２の周面とケーシング１の内周壁との間に、渦流形成可能な隙間を設け、その間に流体の渦流を形成する渦流領域１ａを形成する場合には、濾過部材２の鍔部２１をケーシング１の内周壁から径内側に突出させておく必要があるが、その場合に、本実施形態のように濾過部材２の鍔部２１に泡通過用孔２１ａ…２１ａを設けておくことで、流体から発生した泡が鍔部２１の下方側に溜まって弾け鍔部２１が腐食するようなことを防止でき、濾過部材２の腐食防止に有効なものにできる。
【００２１】
瀘過用孔２ａ…２ａを通過できずに渦流領域１ａに溜まったゴミや異物は、ブロー管３２からケーシング１の外に排出されるが、その際、渦流領域１ａの上部側の海水Ｋは、渦流抑え用部材３４…３４によって渦流の流れ方向が邪魔されて渦流の速度が減じられ、渦流領域１ａの下部側の渦流の速度よりも遅くなっており、その結果、渦流領域１ａ内のゴミや異物が、木の葉、藻、クラゲ等の低比重のものである場合でも、渦流領域１ａの下部側に集まり、ブロー管３２からケーシング１の外に効率的に排出できる。
【００２２】
尚、本実施形態では、流体として海水を瀘過する場合について説明したが、海水に限らず、瀘過する流体の種類を適宜変更できる。
【００２３】
又、エア抜き用管４２に自動排気弁を取付け、ケーシング１内のエアを自動的に排気できるようにしても良く、適宜変更できる。
【００２４】
図４〜図９に、他の実施形態の例を示す。なお、これらの図においては、第１の実施の形態と実質的に同じ部分については、同一の符号を付してその説明を省略する。
【００２５】
第１の実施形態では、瀘過流体送出用管３３の瀘過流体送出口３３ａを、瀘過部材２の下端から所定長さだけ上方側に突出させているが、この形態のものに限らず、例えば図４に示すように瀘過流体送出口３３ａを、瀘過部材２の下端位置に配位させるようにしても良い。
【００２６】
又、図５に示すように瀘過部材２の下端をケーシング１の底壁まで伸ばし、その瀘過部材２の下端に瀘過流体送出口３３ａを接続させるようにしても良く、適宜変更し得る。
【００２７】
蓋部４の形状についても、空間部４１を確保できるのであれば、第１の実施形態のように、内周径がケーシング本体３の内周径と略同径なものに限らず、図６や図７に示すようなものや、その他の形状に適宜変更して良い。又、渦流抑え用部材３４…３４についても、ケーシング本体３の内周壁に取り付けるのではなく、図７に示すように瀘過部材２自体に取り付けても良い。
【００２８】
瀘過部材２の形状についても、テーパー状ではなく、図８に示すように円筒状としても良い。又、ケーシング本体３の底壁形状も適宜変更して実施して良い。
【００２９】
又、図９に示すようにケーシング下部に隔室３６を設け、そこに瀘過流体送出用管３３を取り付けても良い。
【００３０】
瀘過部材２の鍔部２１は、泡通過用２１ａ…２１ａを設けないものとして実施することもできる。ただし、泡通過用２１ａ…２１ａを設けない場合には、鍔部２１の下方側に泡が溜まるおそれがあるので、上記実施形態のように泡通過用２１ａ…２１ａを設けておくのが好ましく、腐食され難いものにできる点で好ましい。
【００３１】
【発明の効果】
以上、本願第１の発明は、空間部４１によって、ケーシング１内における流体水位を濾過部材２よりも上側に配位した状態にして流体を濾過部材２で濾過でき、例えば流体として海水をケーシング１内に導入し、海水から泡が生じた場合でも、泡が濾過部材２よりも上側の空間部４１に溜めることができ、空間部４１で泡を弾けさせることができる。これにより、空間部４１を、空気を溜める空気室として機能させることができ、濾過部材２より上方側に海水の泡の弾けた空気を溜めることによって、海水の泡の弾けた空気が濾過部材２に触れることがなく、濾過部材２が海水から生じた泡の弾けに伴う影響を受けることのないものにでき、濾過部材２の腐食を防止できる。
【００３２】
そして、鍔部２１に泡通過用孔２１ａを備えたものとしておくことにより、泡を、泡通過用孔２１ａを通して空間部４１に出すことができ、鍔部２１の下方側に流体から生じた泡が溜まるおそれのないものにできる。これにより、鍔部２１を確実に流体の泡の弾けに伴う腐食から防止できる。
【００３３】
本願第２の発明は、空間部４１に溜まった泡が空間部４１で弾けても、被覆層４１ａによってケーシング１における空間部４１の内面を保護でき、泡の弾けに伴って腐食されるようなことを防止できる。
【図面の簡単な説明】
【図１】  本願発明の瀘過機の半断面にした正面図である。
【図２】  図１のII−II線断面図である。
【図３】  瀘過機の要部拡大断面図である。
【図４】  瀘過機の他の実施形態の一部を断面にした正面図である。
【図５】  瀘過機の他の実施形態の一部を断面にした正面図である。
【図６】  瀘過機の他の実施形態の一部を断面にした正面図である。
【図７】  瀘過機の他の実施形態の一部を断面にした正面図である。
【図８】  瀘過機の他の実施形態の一部を断面にした正面図である。
【図９】  瀘過機の他の実施形態の一部を断面にした正面図である。
【図１０】  従来の瀘過機の一部を断面にした正面図である。
【符号の説明】
１              ケーシング
１ａ            渦流領域
１ｂ            瀘過領域
２              瀘過部材
２ａ            瀘過用孔
３              ケーシング本体
４              蓋部
２１            鍔部
２１ａ…２１ａ  泡通過用孔
４１            空間部
４１ａ          被覆層
【図１】
0004116230.tif 000002
【図２】
0004116230.tif 000003
【図３】
0004116230.tif 000004
【図４】
0004116230.tif 000005
【図５】
0004116230.tif 000006
【図６】
0004116230.tif 000007
【図７】
0004116230.tif 000008
【図８】
0004116230.tif 000009
【図９】
0004116230.tif 000010
【図１０】
0004116230.tif 000011